(57)【要約】【課題】位置を登録するための電力の消費を軽減することが可能な移動体端末を提供する。【解決手段】通信開始検出部２１１が通信を開始する契機を検出すると、報知情報監視部２１２は、信号送受信インタフェース２０１による報知情報の受信の監視を開始する。報知情報が受信された場合、位置登録要求送信部２１３は、その報知情報内の位置情報を付与した位置登録要求をＨＬＲ１０５に送信する。【選択図】図２
2008259108.tif 000002
【特許請求の範囲】
【請求項１】
位置を登録するホーム位置レジスタと接続可能な移動体端末であって、
自センタの位置登録エリアを示す位置情報を含む報知情報を送信する移動交換センタと通信する通信部と、
通信を開始する契機を検出する検出部と、
前記検出部が前記契機を検出すると、前記通信部による前記報知情報の受信の監視を開始する監視部と、
前記報知情報が受信された場合、自端末の位置を登録する旨の位置登録要求に、該報知情報内の位置情報を付与し、該位置情報が付与された位置登録要求を、前記ホーム位置レジスタに送信する送信部と、を含む移動体端末。
【請求項２】
位置を登録するホーム位置レジスタと接続可能な移動交換センタと、前記移動交換センタと接続可能な移動体端末と、を含む移動体通信システムであって、
前記移動体端末は、
通信を開始する契機を検出する検出部と、
前記検出部が前記契機を検出すると、自端末の位置を登録する旨の位置登録要求を、前記移動交換センタに送信する送信部と、を含み、
前記移動交換センタは、
前記移動体端末から、前記位置登録要求を受信するセンタ受信部と、
自センタの位置登録エリアを示す位置情報を保持し、前記センタ受信部が受信した位置登録要求に、前記位置情報を付与する付与部と、
前記付与部が前記位置情報を付与した位置登録要求を、前記ホーム位置レジスタに送信するセンタ送信部と、を含む、移動体通信システム。
【請求項３】
位置を登録するホーム位置レジスタと移動体端末とに接続可能な移動交換センタであって、
前記移動体端末から、該移動体端末の位置を登録する旨の位置登録要求を受信するセンタ受信部と、
自センタの位置登録エリアを示す位置情報を保持し、前記センタ受信部が受信した位置登録要求に、前記位置情報を付与する付与部と、
前記付与部が前記位置情報を付与した位置登録要求を、前記ホーム位置レジスタに送信するセンタ送信部と、を含む移動交換センタ。
【請求項４】
請求項３に記載の移動交換センタと接続可能な移動体端末であって、
通信を開始する契機を検出する検出部と、
前記検出部が前記契機を検出すると、自端末の位置を登録する旨の位置登録要求を、前記移動交換センタに送信する送信部と、を含む移動体端末。
【請求項５】
自センタの位置登録エリアを示す位置情報を含む報知情報を送信する移動交換センタと通信する通信部を含み、位置を登録するホーム位置レジスタと接続可能な移動体端末が行う位置登録方法であって、
通信を開始する契機を検出する検出ステップと、
前記契機が検出されると、前記通信部による前記報知情報の受信を監視する監視ステップと、
前記報知情報が受信された場合、自端末の位置を登録する旨の位置登録要求に、該報知情報内の位置情報を付与する付与ステップと、
前記位置情報が付与された位置登録要求を、前記ホーム位置レジスタに送信する送信ステップと、を含む位置登録方法。
【請求項６】
自センタの位置登録エリアを示す位置情報を保持する付与部を含み位置を登録するホーム位置レジスタと接続可能な移動交換センタと、前記移動交換センタと接続可能な移動体端末と、を含む移動体通信システムが行う位置登録方法であって、
前記移動体端末が、通信を開始する契機を検出する検出ステップと、
前記移動体端末が、前記契機が検出されると、自端末の位置を登録する旨の位置登録要求を、前記移動交換センタに送信する送信ステップと、
前記移動交換センタが、前記移動体端末から、前記位置登録要求を受信するセンタ受信ステップと、
前記移動交換センタが、前記受信された位置登録要求に、前記位置情報を付与するセンタ付与ステップと、
前記移動交換センタが、前記位置情報が付与された位置登録要求を、前記ホーム位置レジスタに送信するセンタ送信ステップと、を含む位置登録方法。
【請求項７】
自センタの位置登録エリアを示す位置情報を保持する付与部を含み、位置を登録するホーム位置レジスタと移動体端末とに接続可能な移動交換センタが行う位置登録方法であって、
前記移動体端末から、該移動体端末の位置を登録する旨の位置登録要求を受信するセンタ受信ステップと、
前記受信された位置登録要求に、前記位置情報を付与するセンタ付与ステップと、
前記位置情報が付与された位置登録要求を、前記ホーム位置レジスタに送信するセンタ送信ステップと、を含む位置登録方法。
【請求項８】
請求項３に記載の移動交換センタと接続可能な移動体端末が行う位置登録方法であって、
通信を開始する契機を検出する検出ステップと、
前記契機が検出されると、自端末の位置を登録する旨の位置登録要求を、前記移動交換センタに送信する出力ステップと、を含む位置登録方法。
【発明の詳細な説明】
【技術分野】
【０００１】
本発明は、移動体端末、移動体通信システム、移動交換センタおよび位置登録方法に関する。
【背景技術】
【０００２】
携帯電話システムに代表される移動体通信システムは、今日の情報化社会において欠かすことのできない情報伝達手段となっている。移動体通信システムでは、移動体端末および無線基地局間で無線データの送受信が行われる。このとき、一つの無線基地局で送受信を行うことが可能なエリア（セル）には限りがあるため、複数の無線基地局でセルを補いあうことにより、より広い場所での通信が可能になっている。
【０００３】
また、ネットワーク側は、移動体端末の呼び出しを行うために、移動体端末の位置を把握する必要がある。
【０００４】
通常、移動体通信システムでは、ネットワーク側が移動体端末の位置を把握する手段として、『移動体端末が、自端末の位置を把握し、その位置をネットワーク側へ通知して、ネットワーク側に位置を登録する』位置登録方式が実施されている。
【０００５】
図９は、従来の移動体通信システムを示した説明図である。以下、図９を用いて、従来の位置登録方式を説明する。
【０００６】
図９において、ネットワーク側は、ＭＳＣ（Mobile services Switching Center：移動交換センタ）１および２と、ＣＮ（Core Network）１１と、ＨＬＲ（Home Location Register：ホーム位置レジスタ）１２とを含む。
【０００７】
ＭＳＣ１および２のそれぞれは、移動体端末の位置の管理単位である。ＭＳＣ１および２のそれぞれは、１つ以上のセルを含む位置登録エリアを有する。
【０００８】
ＣＮ１１は、ＭＳＣ１および２とＨＬＲ１２とを接続する。
【０００９】
ＨＬＲ１２は、移動体端末の位置を登録する。具体的には、ＨＬＲ１２は、移動体端末１３が存在する位置登録エリアを示す位置情報が付与された位置登録要求を受信すると、その位置情報を格納して、移動体端末１３の位置を登録する。
【００１０】
ＨＬＲ１２は、移動体端末の呼び出し時に、ＣＮ１１が、移動体端末の存在する位置登録エリアを把握するために使用される。ＣＮ１１は、その把握した位置登録エリア内に、その位置登録エリアを有するＭＳＣを経由して、呼び出し信号（Page信号）を送信する。
【００１１】
位置登録方式の動作を説明する。
【００１２】
ＭＳＣ１および２のそれぞれは、ＭＳＣごとに固有の報知情報を、自ＭＳＣの位置登録エリアに送信する。報知情報は、その位置登録エリアを示す位置情報を含む。
【００１３】
移動体端末１３は、ＭＳＣから受信した報知情報により自端末が存在する位置登録エリアを特定する。
【００１４】
移動体端末１３は、移動により、自端末が存在する位置登録エリアが変化すると、変化後の位置登録エリアを示す位置情報を含む報知情報を受信する。移動体端末１３は、その位置情報を付与した位置登録要求を、その変化後の位置登録エリアを有するＭＳＣおよびＣＮ１１を経由して、ＨＬＲ１２に送信して、位置情報をＨＬＲ１２に登録する。
【００１５】
例えば、位置登録エリアａにて報知情報ａ１を受信していた移動体端末１３が、位置登録エリアｂ内に移動して報知情報ｂ１を受信したとする。このとき、移動体端末１３は、その報知情報ｂ１の受信を契機に、位置登録エリアｂに移動したことを認識し、位置登録エリアｂを示す位置情報を付与した位置登録要求を、ＨＬＲ１２に送信する。
【００１６】
なお、図９では、ＭＳＣの数は、２であるが、実際には２でなくてもよい。図１０は、ＭＳＣの数が４の、従来の移動体通信システムを示した説明図である。なお、図１０と同じものには、同じ符号が付してある。
【００１７】
この場合、移動体端末１３は、異なる位置登録エリアに移動するたびに、位置登録要求を送信する。
【００１８】
このような移動体端末は、報知情報の受信を常に監視しなければならない。このため、電力を消費するという問題点がある。
【００１９】
特許文献１（特開２００４−８０３０８号公報）には、目的は異なるが、報知情報の受信を監視することによる電力の消費を軽減することが可能な動作モード設定方法が記載されている。
【００２０】
この動作モード設定方法は、移動体端末の送信電波による周囲の電子機器への悪影響を防止するために、移動体端末に電波の送受信を停止するオフラインモードが設けられている。このオフラインモードが適用されると、移動体端末は、電波の送受信が停止されるので、報知情報の受信は監視されない。このため、電力の消費を軽減することが可能になる。
【特許文献１】特開２００４−８０３０８号公報
【発明の開示】
【発明が解決しようとする課題】
【００２１】
しかしながら、特許文献１に記載の動作モード設定方法では、移動体端末が通信を行う際には、オフラインモードが解除されなければならない。移動体端末は、オフラインモードが解除されると、異なる位置登録エリアに移動したことを認識するために、報知情報の受信を常に監視することになる。
【００２２】
このため、動作モード設定方法では、移動体端末の位置を登録のためには、報知情報の受信を常に監視する必要があり、電力の消費を軽減するという効果が得られない。
【００２３】
そこで、本発明の目的は、位置を登録するための電力の消費を軽減することが可能な移動体端末、移動体通信システム、移動交換センタおよび位置登録方法を提供することである。
【課題を解決するための手段】
【００２４】
上記の目的を達成するために、本発明の移動体端末は、位置を登録するホーム位置レジスタと接続可能な移動体端末であって、自センタの位置登録エリアを示す位置情報を含む報知情報を送信する移動交換センタと通信する通信部と、通信を開始する契機を検出する検出部と、前記検出部が前記契機を検出すると、前記通信部による前記報知情報の受信の監視を開始する監視部と、前記報知情報が受信された場合、自端末の位置を登録する旨の位置登録要求に、該報知情報内の位置情報を付与し、該位置情報が付与された位置登録要求を、前記ホーム位置レジスタに送信する送信部と、を含む。
【００２５】
また、本発明の位置登録方法は、自センタの位置登録エリアを示す位置情報を含む報知情報を送信する移動交換センタと通信する通信部を含み、位置を登録するホーム位置レジスタと接続可能な移動体端末が行う位置登録方法であって、通信を開始する契機を検出する検出ステップと、前記契機が検出されると、前記通信部による前記報知情報の受信を監視する監視ステップと、前記報知情報が受信された場合、自端末の位置を登録する旨の位置登録要求に、該報知情報内の位置情報を付与する付与ステップと、前記位置情報が付与された位置登録要求を、前記ホーム位置レジスタに送信する送信ステップと、を含む。
【００２６】
上記の発明によれば、通信を開始する契機が検出されると、報知情報の受信の監視が開始される。
【００２７】
このため、通信を開始するときだけ、報知情報の受信を監視することが可能になる。したがって、報知情報の受信を常に監視しなくてもよくなるため、位置を登録するための電力の消費を軽減することが可能になる。
【００２８】
また、本発明の移動体通信システムは、位置を登録するホーム位置レジスタと接続可能な移動交換センタと、前記移動交換センタと接続可能な移動体端末と、を含む移動体通信システムであって、前記移動体端末は、通信を開始する契機を検出する検出部と、前記検出部が前記契機を検出すると、自端末の位置を登録する旨の位置登録要求を、前記移動交換センタに送信する送信部と、を含み、前記移動交換センタは、前記移動体端末から、前記位置登録要求を受信するセンタ受信部と、自センタの位置登録エリアを示す位置情報を保持し、前記センタ受信部が受信した位置登録要求に、前記位置情報を付与する付与部と、前記付与部が前記位置情報を付与した位置登録要求を、前記ホーム位置レジスタに送信するセンタ送信部と、を含む。
【００２９】
また、本発明の移動交換センタは、位置を登録するホーム位置レジスタと移動体端末とに接続可能な移動交換センタであって、前記移動体端末から、該移動体端末の位置を登録する旨の位置登録要求を受信するセンタ受信部と、自センタの位置登録エリアを示す位置情報を保持し、前記センタ受信部が受信した位置登録要求に、前記位置情報を付与する付与部と、前記付与部が前記位置情報を付与した位置登録要求を、前記ホーム位置レジスタに送信するセンタ送信部と、を含む。
【００３０】
また、本発明の移動体端末は、前記移動交換センタと接続可能な移動体端末であって、
通信を開始する契機を検出する検出部と、前記検出部が前記契機を検出すると、自端末の位置を登録する旨の位置登録要求を、前記移動交換センタに送信する送信部と、を含む。
【００３１】
また、本発明の移動体通信システムが行う位置登録方法は、自センタの位置登録エリアを示す位置情報を保持する付与部を含み位置を登録するホーム位置レジスタと接続可能な移動交換センタと、前記移動交換センタと接続可能な移動体端末と、を含む移動体通信システムが行う位置登録方法であって、前記移動体端末が、通信を開始する契機を検出する検出ステップと、前記移動体端末が、前記契機が検出されると、自端末の位置を登録する旨の位置登録要求を、前記移動交換センタに送信する送信ステップと、前記移動交換センタが、前記移動体端末から、前記位置登録要求を受信するセンタ受信ステップと、前記移動交換センタが、前記受信された位置登録要求に、前記位置情報を付与するセンタ付与ステップと、前記移動交換センタが、前記位置情報が付与された位置登録要求を、前記ホーム位置レジスタに送信するセンタ送信ステップと、を含む。
【００３２】
また、本発明の移動交換センタが行う位置登録方法は、自センタの位置登録エリアを示す位置情報を保持する付与部を含み、位置を登録するホーム位置レジスタと移動体端末とに接続可能な移動交換センタが行う位置登録方法であって、前記移動体端末から、該移動体端末の位置を登録する旨の位置登録要求を受信するセンタ受信ステップと、前記受信された位置登録要求に、前記位置情報を付与するセンタ付与ステップと、前記位置情報が付与された位置登録要求を、前記ホーム位置レジスタに送信するセンタ送信ステップと、を含む。
【００３３】
また、本発明の移動体端末が行う位置登録方法は、前記移動交換センタと接続可能な移動体端末が行う位置登録方法であって、通信を開始する契機を検出する検出ステップと、前記契機が検出されると、自端末の位置を登録する旨の位置登録要求を、前記移動交換センタに送信する出力ステップと、を含む。
【００３４】
上記の発明によれば、移動交換センタは、移動体端末から位置登録要求を受信すると、その位置登録要求に、自センタの位置登録エリアを示す位置情報を付与する。
【００３５】
このため、移動体端末が報知情報の受信を監視しなくても、位置を登録することが可能になる。したがって、位置を登録するための電力の消費を軽減することが可能になる。
【００３６】
さらに、移動交換センタが報知情報を送信しなくても良くなるため、移動交換センタの電力の消費を軽減することが可能になる。
【発明の効果】
【００３７】
本発明によれば、位置を登録するための電力の消費を軽減することが可能になる。
【発明を実施するための最良の形態】
【００３８】
以下、本発明の実施例について図面を参照して説明する。
【００３９】
図１は、本発明の第一の実施例の移動体通信システムを示したブロック図である。
【００４０】
図１において、移動体通信システムは、ＭＳＣ１０１ないし１０４と、ＨＬＲ１０５と、移動体端末１０６とを含む。
【００４１】
ここで、ＭＳＣ１０１ないし１０４のそれぞれは、ＨＬＲ１０５と、ＣＮ（Core Network）１０７を経由して相互に接続可能である。また、ＭＳＣ１０１ないし１０４のそれぞれは、移動体端末１０６と、無線基地局（図示せず）を経由して相互に接続可能である。
【００４２】
なお、無線基地局は、移動体端末１０６と無線信号の送受信を行う装置である。移動体端末１０６と、ＭＳＣ１０１ないし１０４のそれぞれとは、この無線基地局を経由して通信する。
【００４３】
ＭＳＣ１０１ないし１０４のそれぞれは、位置登録エリアＡないしＤのそれぞれを有する。
【００４４】
また、ＭＳＣ１０１ないし１０４のそれぞれは、定期的に、自己の位置登録エリア内の移動体端末に報知情報を送信する。報知情報は、ＭＳＣごとに固有の情報であり、自ＭＳＣの位置登録エリアを示す位置情報を含む。以下、ＭＳＣ１０１ないし１０４のそれぞれは、報知情報Ａ１ないしＤ１のそれぞれを送信するものとする。
【００４５】
また、ＭＳＣ１０１ないし１０４のそれぞれは、移動体端末１０６から位置登録要求を受信すると、その位置登録要求をＨＬＲ１０５に送信する。位置登録要求は、移動体端末１０６の位置を登録する旨の要求であり、位置情報および端末識別子が付与されている。この位置情報は、移動体端末１０６が存在する位置登録エリアを示す。また、端末識別子は、移動体端末１０６を特定する。
【００４６】
ＨＬＲ１０５は、ＭＳＣ１０１ないし１０４のそれぞれから、位置登録要求を受信すると、その位置登録要求に付与された位置情報および端末識別子を対応付けて格納して、移動体端末１０６の位置を登録する。
【００４７】
移動体端末１０６は、例えば、携帯電話またはＰＣ（ノード型ＰＣ等）である。なお、移動体端末１０６は、携帯電話またはＰＣに限らず適宜変更可能である。
【００４８】
移動体端末１０６は、位置登録エリアＡないしＤ内を移動するものとする。
【００４９】
図２は、移動体端末１０６の構成の一例を示したブロック図である。
【００５０】
図２において、移動体端末１０６は、信号送受信インタフェース２０１と、他信号処理部２０２と、位置登録処理部２０３とを含む。
【００５１】
信号送受信インタフェース２０１は、移動体端末１０６の外部（例えば、ＭＳＣ１０１ないし１０４）から信号を受信し、その信号を、その信号に応じた移動体端末１０６の内部の各処理部に送信する機能と、各処理部から受信した信号を外部に送信する機能とを有する。
【００５２】
例えば、信号送受信インタフェース２０１は、自端末が存在する位置登録エリアを有するＭＳＣから、報知情報を受信すると、その報知情報を位置登録処理部２０３に送信する。また、信号送受信インタフェース２０１は、外部から、報知情報と異なる他信号を受信すると、その他信号を他信号処理部２０２に送信する。さらに、信号送受信インタフェース２０１は、位置登録処理部２０３から位置登録要求を受信すると、その位置登録要求を、自端末が存在する位置登録エリアを有するＭＳＣを経由してＨＬＲ１０５に送信する。
【００５３】
他信号処理部２０２は、位置登録処理部２０３が行なう位置登録処理と異なる通信処理を実施する。なお、他信号処理部２０２の構成および処理は、本発明とは直接関係しないので、詳細な説明は省略する。
【００５４】
位置登録処理部２０３は、位置登録処理を行う。位置登録処理は、ＨＬＲ１０５に自端末の位置を登録するための処理である。
【００５５】
具体的には、位置登録処理部２０３は、通信開始検出部２１１と、報知情報監視部２１２と、位置登録要求送信部２１３とを含み、各部が以下の処理を行う。
【００５６】
通信開始検出部２１１は、通信を開始する契機を検出する。例えば、通信開始検出部２１１は、自端末にインストールされた通信アプリケーションソフトウェアの起動、または、ユーザによる通信の開始を要求する操作を検出すると、通信を開始する契機を検出する。
【００５７】
ここで、通信アプリケーションソフトウェアは、例えば、ブラウザなどである。なお、通信アプリケーションソフトウェアは、ブラウザに限らず、適宜変更可能である。
【００５８】
通信開始検出部２１１は、通信を開始する契機を検出すると、報知情報監視部２１２を起動する。
【００５９】
報知情報監視部２１２は、起動すると、信号送受信インタフェース２０１による報知情報の受信の監視を開始する。また、位置登録要求送信部２１３が位置登録要求を送信すると、その報知情報の受信の監視を停止する。
【００６０】
報知情報監視部２１２は、報知情報確認タイマ部２１２ａと、報知情報受信部２１２ｂとを含む。
【００６１】
報知情報確認タイマ部２１２ａは、起動すると、予め定められた報知情報確認間隔分のタイマを設定する。
【００６２】
報知情報受信部２１２ｂは、起動すると、信号送受信インタフェース２０１からの報知情報の受け付けを開始する。報知情報受信部２１２ｂは、その報知情報を受け付けると、その報知情報を保持する。
【００６３】
また、報知情報受信部２１２ｂは、報知情報確認タイマ部２１２ａのタイマが満了すると、報知情報を保持しているか否かを確認して、その報知情報が受信されたか否かを判断する。具体的には、報知情報受信部２１２ｂは、その報知情報を保持していると、その報知情報が受信されたと判断し、その報知情報を保持していないと、その報知情報が受信されていないと判断する。
【００６４】
ここで、報知情報が受信されていない場合、報知情報受信部２１２ｂは、報知情報確認タイマ部２１２ａを再起動する。なお、報知情報が受信された場合、報知情報受信部２１２ｂは、報知情報確認タイマ部２１２ａを再起動しない。
【００６５】
また、報知情報が受信された場合、位置登録要求送信部２１３は、位置登録要求を生成し、その位置登録要求に、その報知情報が含む位置情報と、自端末の端末識別子とを付与する。位置登録要求送信部２１３は、その位置情報および端末識別子を付与した位置登録要求を、自端末が存在する位置登録エリアを有するＭＳＣに送信する。なお、位置登録要求送信部２１３は、自端末の端末識別子を予め保持する。
【００６６】
次に動作を説明する。
【００６７】
先ず、移動体通信システムの動作を説明する。図３は、移動体通信システムの動作の一例を説明するためのシーケンスチャートである。
【００６８】
ＭＳＣ１０１ないし１０４のそれぞれは、定期的に、自ＭＳＣの位置登録エリア内の移動体端末に報知情報を、無線基地局を経由して送信する。
【００６９】
移動体端末１０６は、報知情報を受信したか否かを監視していないときには、報知情報を受信しても、その報知情報を破棄する（ステップＳ３０１〜Ｓ３０３）。このため、移動体端末１０６は、報知情報を受信していない状態と同じ状態になる。
【００７０】
その後、移動体端末１０６は、通信を開始する契機を検出すると、報知情報の受信の監視を開始する。なお、このとき、移動体端末１０６は、ＭＳＣ１０４が有する位置登録エリアＤ内に存在するとする。
【００７１】
移動体端末１０６は、その監視を開始した後で、ＭＳＣ１０４から報知情報を受信する（ステップＳ３０４）と、位置登録要求を、無線基地局を経由してそのＭＳＣ１０４に送信する。その後、移動体端末１０６は、報知情報の受信の監視を停止する（ステップＳ３０５）。
【００７２】
また、ＭＳＣ１０４は、その位置登録要求を受信すると、位置登録要求を、ＣＮ１０７を経由して、ＨＬＲ１０５に送信する。ＨＬＲ１０５は、その位置登録要求を受信すると、その位置登録要求に付与された位置情報および端末識別子を対応付けて格納して、移動体端末１０６の位置を登録する（ステップＳ３０６）。
【００７３】
その後、ＭＳＣ１０１ないし１０４のそれぞれが報知情報を送信する。移動体端末１０６は、その報知情報を受信しても、報知情報を受信したか否かの監視を停止したので、その報知情報を破棄する（ステップＳ３０７）。
【００７４】
次に、移動体端末１０６の動作を詳細に説明する。図４は、移動体端末１０６の動作の一例を説明するためのフローチャートである。
【００７５】
通信開始検出部２１１は、通信を開始する契機を検出すると、ステップＳ４０１を実行する。なお、このとき、移動体端末１０６は、ＭＳＣ１０４が有する位置登録エリアＤ内に存在するとする。
【００７６】
ステップＳ４０１では、通信開始検出部２１１は、起動命令を報知情報確認タイマ部２１２ａに送信し、報知情報の受付を開始する旨の受付指示を報知情報受信部２１２ｂに送信する。
【００７７】
報知情報受信部２１２ｂは、その受付指示を受信すると、信号送受信インタフェース２０１からの、報知情報の受け付けを開始する。
【００７８】
また、報知情報確認タイマ部２１２ａは、その起動命令を受信すると、ステップＳ４０２を実行する。
【００７９】
ステップＳ４０２では、報知情報確認タイマ部２１２ａは、報知情報確認間隔分のタイマを設定する。報知情報確認タイマ部２１２ａは、タイマを設定すると、ステップＳ４０３を実行する。
【００８０】
ステップＳ４０３では、報知情報確認タイマ部２１２ａは、そのタイマが満了するまで待機する。報知情報確認タイマ部２１２ａは、そのタイマが満了すると、タイマの満了を示すタイマ信号を報知情報受信部２１２ｂに送信する。報知情報受信部２１２ｂは、そのタイマ信号を受信すると、ステップＳ４０４を実行する。
【００８１】
ステップＳ４０４では、報知情報受信部２１２ｂは、報知情報を保持しているか否かを判断して、その報知情報が受信されたか否かを判断する。
【００８２】
その報知情報が受信されていない場合、報知情報受信部２１２ｂは、起動命令を、報知情報確認タイマ部２１２ａに送信する。報知情報確認タイマ部２１２ａは、その起動命令を受信すると、ステップＳ４０２を実行する。
【００８３】
一方、その報知情報が受信された場合、報知情報受信部２１２ｂは、ステップＳ４０５を実行する。
【００８４】
ステップＳ４０５では、報知情報受信部２１２ｂは、その報知情報から位置情報を抽出する。報知情報受信部２１２ｂは、その位置情報と、位置登録要求を送信する旨の送信指示とを、位置登録要求送信部２１３に送信する。
【００８５】
位置登録要求送信部２１３は、その位置情報および送信指示を受信すると、位置登録要求を生成する。位置登録要求送信部２１３は、その位置登録要求に、その位置情報と、保持している端末識別子とを付与する。
【００８６】
位置登録要求送信部２１３は、その位置情報および端末識別子を付与した位置登録要求を、信号送受信インタフェース２０１および無線基地局を経由してＭＳＣ１０４に送信する。位置登録要求送信部２１３は、その位置登録要求を送信すると、ステップＳ４０６を実行する。
【００８７】
ステップＳ４０６では、位置登録要求送信部２１３は、動作停止命令を報知情報受信部２１２ｂに送信する。報知情報受信部２１２ｂは、動作停止命令を受信すると、報知情報の受け付けを停止し、報知情報の受信の監視を停止する。
【００８８】
次に効果を説明する。
【００８９】
本実施例によれば、通信開始検出部２１１が通信を開始する契機を検出すると、報知情報監視部２１２は、信号送受信インタフェース２０１による報知情報の受信の監視を開始する。報知情報が受信された場合、位置登録要求送信部２１３は、その報知情報内の位置情報を付与した位置登録要求をＨＬＲ１０５に送信する。
【００９０】
この場合、通信を開始するときだけ、報知情報の受信を監視することが可能になる。したがって、報知情報の受信を常に監視しなくてもよくなるため、位置を登録するための電力の消費を軽減することが可能になる。
【００９１】
また、他の効果として以下のものが挙げられる。
【００９２】
従来では、移動体端末は、移動により位置登録エリアが変更されるたびに、位置登録要求を送信していた。このため、ネットワーク側の信号処理リソースに負荷がかかるという問題点があった。特に、今後、携帯電話だけでなく、ＰＣなどの情報端末を移動体端末として使用するユーザが増加することが想定され、ネットワーク側の信号処理リソースにかかる負荷も増加することが想定される。
【００９３】
この問題点を解決するために、位置登録エリアを大きくすることにより、移動体端末が位置登録要求を送信する頻度を少なくすることが考えられる。しかしながら、この場合、位置登録エリアが大きくなることにより、移動体端末を呼び出すための呼び出し信号の送信範囲が大きくなるという別の問題が発生する。
【００９４】
本実施例では、移動体端末１０６は、位置登録エリアを変更するたびに、位置登録要求を送信しなくても良くなるため、ネットワーク側の信号処理リソースにかかる負荷を軽減することが可能になる。
【００９５】
また、ホーム位置レジスタなどの障害により、移動体端末が存在する位置登録エリアが不明になり、その後、ホーム位置レジスタなどを障害状態から復旧する場合、従来では、複数の移動体端末が同時に位置登録要求を送信していた。本実施例では、ホーム位置レジスタなどを障害状態から復旧する場合でも、位置登録要求の送信を抑止することが可能になり、ネットワーク側の信号処理リソースにかかる負荷を軽減することが可能になる。
【００９６】
次に第二の実施例について説明する。なお、以下では、主に第一の実施例と異なる構成および動作について説明する。
【００９７】
図５は、本発明の第二の実施例の移動体通信システムを示したブロック図である。なお、図５において、図１と同じものには同じ符号が付してある。
【００９８】
図５において、移動体通信システムは、ＨＬＲ１０５と、ＭＳＣ１０１および１０２と、移動体端末１０６と、無線基地局１１１ないし１１５とを含む。
【００９９】
無線基地局１１１および１１２は、ＭＳＣ１０１と接続可能であり、無線基地局１１３ないし１１５は、ＭＳＣ１０２と接続可能である。また、無線基地局１１１ないし１１５は、自己のセル内に、移動体端末１０６が存在するとき、移動体端末１０６と接続可能である。
【０１００】
移動体端末１０６は、無線基地局１１１ないし１１５のいずれか一つを経由してＭＳＣ１０１および１０２のどちらか一方と接続可能である。
【０１０１】
図６は、本実施例の移動体端末１０６の構成の一例を示したブロック図である。なお、図６において、図２と同じものには、同じ符号が付してある。
【０１０２】
図６において、移動体端末１０６は、図２に示した構成から、報知情報監視部２１２を除いた構成である。
【０１０３】
位置登録要求送信部２１３は、通信開始検出部２１１が通信を開始する契機を検出すると、位置登録要求を生成し、その位置登録要求に、保持している端末識別子を付与する。位置登録要求送信部２１３は、その位置情報および端末識別子を付与した位置登録要求を、自端末が存在する位置登録エリアを有するＭＳＣを経由して、ＨＬＲ１０５に送信する。
【０１０４】
図７は、本実施例のＭＳＣ１０１および１０２の構成を示したブロック図である。
【０１０５】
図７において、ＭＳＣ１０１および１０２は、センタ受信部７０１と、付与部７０２と、センタ送信部７０３とを含む。
【０１０６】
センタ受信部７０１は、移動体端末１０６から、位置登録要求を受信する。
【０１０７】
付与部７０２は、自ＭＳＣの位置登録エリアを示す位置情報を保持する。
【０１０８】
付与部７０２は、センタ受信部７０１が受信した位置登録要求に、その保持している位置情報を付与する。
【０１０９】
センタ送信部７０３は、付与部７０２が位置情報を付与した位置登録要求をＨＬＲ１０５に送信する。
【０１１０】
なお、本実施例のＭＳＣ１０１および１０２は、第一の実施例と異なり、報知情報の送信を行わない。
【０１１１】
次に動作を説明する。
【０１１２】
図８は、第二の実施例の移動体通信システムの動作の一例を説明するためのフローチャートである。
【０１１３】
移動体端末１０６の通信開始検出部２１１は、通信を開始する契機を検出すると、ステップＳ８０１を実行する。なお、このとき、移動体端末１０６は、ＭＳＣ１０２が有する位置登録エリアＢ内の、無線基地局１１５のセル内に存在するとする。
【０１１４】
ステップＳ８０１では、通信開始検出部２１１は、位置登録要求を送信する旨の送信要求を位置登録要求送信部２１３に送信する。位置登録要求送信部２１３は、その送信要求を受信すると、ステップＳ８０２を実行する。
【０１１５】
ステップＳ８０２では、位置登録要求送信部２１３は、位置登録要求を生成し、その位置登録要求に、保持している端末識別子を付与する。位置登録要求送信部２１３は、その位置情報および端末識別子を付与した位置登録要求を、信号送受信インタフェース２０１および無線基地局１１５を経由して、ＭＳＣ１０２のセンタ受信部７０１に送信する。センタ受信部７０１は、その位置登録要求を受信すると、ステップＳ８０３を実行する。
【０１１６】
ステップＳ８０３では、センタ受信部７０１は、その位置登録要求を、付与部７０２に送信する。付与部７０２は、その位置登録要求を受信すると、ステップＳ８０４を実行する。
【０１１７】
ステップＳ８０４では、付与部７０２は、その位置登録要求に保持している位置情報を付与する。付与部７０２は、その位置情報を付与した位置登録要求を、センタ送信部７０３に送信する。センタ送信部７０３は、その位置登録要求を受信すると、その位置登録要求を、ＣＮ１０７を経由してＨＬＲ１０５に送信する。ＨＬＲ１０５は、その位置登録要求を受信すると、その位置登録要求に付与された位置情報および端末識別子を対応付けて格納する。
【０１１８】
なお、本実施例において、図２で示した、第一の実施例の移動体端末１０６を用いてもよい。
【０１１９】
次に効果を説明する。
【０１２０】
本実施例によれば、通信開始検出部２１１が通信を開始する契機を検出すると、位置登録要求送信部２１３は、位置登録要求を送信する。センタ受信部７０１は、移動体端末１０６から位置登録要求を受信する。付与部７０２は、その位置登録要求に、保持している位置情報を付与する。センタ送信部７０３は、その位置情報が付与された位置登録要求をＨＬＲ１０５に送信する。
【０１２１】
この場合、移動体端末が報知情報の受信を監視しなくても、位置を登録することが可能になる。したがって、位置を登録するための電力の消費を軽減することが可能になる。
【０１２２】
さらに、移動交換センタが報知情報を送信しなくても良くなるため、移動交換センタの電力の消費を軽減することが可能になる。
【０１２３】
以上説明した各実施例において、図示した構成は単なる一例であって、本発明はその構成に限定されるものではない。
【０１２４】
例えば、第一の実施例において、通信開始検出部２１１が通信を開始する契機を検出すると、報知情報受信部２１２ｂは、例えば、報知信号の受信割り込み処理などを行い、報知信号を受信したか否かを判断してもよい。この場合、報知情報確認タイマ部２１２ａがなくても良くなるため、移動体端末１０６の構成を簡略化することが可能になる。
【図面の簡単な説明】
【０１２５】
【図１】本発明の第一の実施例の移動体通信システムを示したブロック図である。
【図２】移動体端末の構成の一例を示したブロック図である。
【図３】移動体通信システムの動作の一例を説明するためのシーケンスチャートである。
【図４】移動体端末の動作の一例を説明するためのフローチャートである。
【図５】本発明の第二の実施例の移動体通信システムを示したブロック図である。
【図６】移動体端末の構成の他の例を示したブロック図である。
【図７】ＭＳＣの構成の一例を示したブロック図である。
【図８】移動体通信システムの他の動作例を説明するためのフローチャートである。
【図９】従来の移動体通信システムの一例を示した説明図である。
【図１０】従来の移動体通信システムの他の例を示した説明図である。
【符号の説明】
【０１２６】
１０１〜１０４    ＭＳＣ
１０５            ＨＬＲ
１０６            移動体端末
２０１            信号送受信インタフェース
２０２            他信号処理部
２０３            位置登録処理部
２１１            通信開始検出部
２１２            報知情報監視部
２１２ａ          報知情報確認タイマ部
２１２ｂ          報知情報受信部
２１３            位置登録要求送信部
７０１            センタ受信部
７０２            付与部
７０３            センタ送信部
【図１】
2008259108.tif 000003
【図２】
2008259108.tif 000004
【図３】
2008259108.tif 000005
【図４】
2008259108.tif 000006
【図５】
2008259108.tif 000007
【図６】
2008259108.tif 000008
【図７】
2008259108.tif 000009
【図８】
2008259108.tif 000010
【図９】
2008259108.tif 000011
【図１０】
2008259108.tif 000012